(57)【要約】【課題】全体の統一感を図ることができるパネルを提供する。【解決手段】発光パネル１は、水平方向に沿って表側から裏側に向かって配置された光拡散板３及び導光板５と、上下方向に離れて設けられ、光拡散板３を挟持するとともに導光板５を支持する上側フレーム部材６、下側フレーム部材７とを備える。上側フレーム部材６は、光拡散板３の側端部に当接する第１当接部６ｄと、第１当接部６ｄに連結されるとともに光拡散板３と導光板５との間に所定の長さまで嵌入された第１嵌入部６ｆとを少なくとも有する。表側において、光拡散板３と上側フレーム部材６、下側フレーム部材７とは面一になるように配置されている。また、表側には、光拡散板３及び上側フレーム部材６、下側フレーム部材７を覆う化粧シート８が貼り付けられている。【選択図】図１
2019029328.tif 000002
【特許請求の範囲】
【請求項１】
一軸方向に沿って表側から裏側に向かって配置された第１板状部材及び第２板状部材と、
前記一軸方向と交差する方向に離れて設けられ、前記第１板状部材を挟持するとともに前記第２板状部材を支持するフレーム部材と、
を備え、
前記フレーム部材は、前記第１板状部材の側端部に当接する第１当接部と、前記第１当接部に連結されるとともに前記第１板状部材と前記第２板状部材との間に所定の長さまで嵌入された第１嵌入部と、を少なくとも有し、
前記表側において、前記第１板状部材と前記フレーム部材とは面一になるようにされていることを特徴とするパネル。
【請求項２】
前記表側には、前記第１板状部材及び前記フレーム部材を覆う化粧シートが設けられている請求項１に記載のパネル。
【請求項３】
前記第２板状部材よりも前記裏側に配置された第３板状部材を更に備え、
前記フレーム部材は、前記第３板状部材の側端部に当接する第２当接部と、前記第２当接部に連結されるとともに前記第２板状部材と前記第３板状部材との間に所定の長さまで嵌入された第２嵌入部と、を更に有する請求項１又は２に記載のパネル。
【請求項４】
前記裏側において、前記第３板状部材と前記フレーム部材とは面一になるようにされている請求項３に記載のパネル。
【請求項５】
前記一軸方向と交差する方向において、前記第１嵌入部の嵌入長さは前記第２嵌入部の嵌入長さよりも短い請求項３又は４に記載のパネル。
【請求項６】
前記フレーム部材は、前記第１当接部から前記第１嵌入部とは反対側に延出された表側壁部と、前記第２当接部から前記第２嵌入部とは反対側に延出された裏側壁部と、前記表側壁部及び前記裏側壁部を連結する主体部と、を更に有し、
前記表側において、前記表側壁部と前記第１板状部材とは面一になるようにされている請求項１〜５のいずれか一項に記載のパネル。
【請求項７】
複数の点状発光素子とこれらの点状発光素子が実装された配線基板とを有する光源部、を更に備え、
前記光源部は、前記主体部、前記表側壁部、前記裏側壁部、前記第１当接部及び前記第２当接部により形成された空間に収容されている請求項６に記載のパネル。
【請求項８】
前記第１板状部材は光拡散板、前記第２板状部材は導光板、前記第３板状部材は光反射板である請求項３〜７のいずれか一項に記載のパネル。
【請求項９】
前記第１板状部材は光拡散板、前記第２板状部材は表面に複数の点状発光素子が配置された基板である請求項１〜６のいずれか一項に記載のパネル。
【請求項１０】
第１の板部と、
前記第１の板部の両端から同じ方向にそれぞれ折れ曲がり、互いに対向して延設する第２の板部と第３の板部と、
前記第２の板部及び前記第３の板部のそれぞれの延設端から互いに接近するように折れ曲がる第４の板部と第５の板部と、
前記第４の板部及び前記第５の板部の端部から前記第２の板部及び前記第３の板部と同
じ方向に折れ曲がるとともに、互いに対向して延設する第６の板部と第７の板部と、
を備え、
前記第６の板部及び前記第７の板部のうち、一方が他方より長く延設されていることを特徴とするフレーム部材。
【請求項１１】
一軸方向に沿って表側から裏側に向かって配置された導光板及び光反射板と、
前記一軸方向と交差する方向に設けられ、前記導光板と前記光反射板とを支持するフレーム部材と
を有し、
前記フレーム部材の前記導光板よりも表側に、光拡散板を収容する収容部が設けられていることを特徴とするパネル。
【請求項１２】
前記フレーム部材は、
前記導光板と前記光反射板とを上側から支持する上側フレーム部材と、
前記導光板と前記光反射板とを下側から支持する下側フレーム部材と
を有することを特徴とする請求項１１に記載のパネル。
【請求項１３】
前記上側フレーム部材と前記下側フレーム部材とのうち少なくとも一方は、
前記一軸方向と交差する方向に延在し、前記導光板と前記光反射板とを外側から支持することを特徴とする請求項１２に記載のパネル。
【請求項１４】
前記上側フレーム部材と前記下側フレーム部材とは、前記一軸方向と交差する方向に対して線対称であることを特徴とする請求項１２に記載のパネル。
【請求項１５】
前記上側フレーム部材と前記下側フレーム部材とは、前記一軸方向と交差する方向に対して非対称であることを特徴とする請求項１２に記載のパネル。
【請求項１６】
前記下側フレーム部材の前記一軸方向の幅は、前記上側フレーム部材の前記一軸方向の幅よりも狭いことを特徴とする請求項１５に記載のパネル。
【請求項１７】
前記光反射板の裏側に、前記フレーム部材により支持される補強部材が設けられている請求項１１〜１６のいずれか一項に記載のパネル。
【請求項１８】
前記上側フレーム部材又は前記下側フレーム部材の少なくともいずれか一方が、パネルが固定される壁と当接して固定されている請求項１１〜１７のいずれか一項に記載のパネル。
【請求項１９】
前記上側フレーム部材又は前記下側フレーム部材の少なくともいずれか一方が、パネルが固定される壁と離れて固定されている請求項１１〜１７のいずれか一項に記載のパネル。
【請求項２０】
前記上側フレーム部材に、前記導光板の端部に配置された光源を収容する光源収容部を有することを特徴とする請求項１２に記載のパネル。
【請求項２１】
一軸方向に沿って表側から裏側に向かって互いに対面するように配置された第１板状部材及び第２板状部材と、
前記第１板状部材の一側端部及び前記第２板状部材の一側端部に対面するように配置された第１フレーム部材と、
を備え、
前記第１フレーム部材は、
前記一軸方向に沿って延びる第１の板部と、
前記第１の板部の表側の端部において前記一軸方向と交わる方向に折れ曲がるように構成された第２の板部と、
前記第１の板部の裏側の端部において前記一軸方向と交わる方向に折れ曲がるように構成された第３の板部と、
前記第２の板部に連結されるとともに裏側に向かって折れ曲がるように構成された第４の板部と、
前記第４の板部に連結されるとともに前記第１板状部材と前記第２板状部材との間に所定の長さまで嵌入された第１嵌入部と、を少なくとも有し、
前記第２の板部、前記第４の板部、及び前記第１嵌入部により構成される凹状の領域に、前記第１板状部材の少なくとも一部が収容されていることを特徴とするパネル。
【発明の詳細な説明】
【技術分野】
【０００１】
本開示の実施形態は、パネルに関し、特に発光パネルに関する。
【背景技術】
【０００２】
従来、このような分野の技術として、例えば下記特許文献１に記載されるものがある。特許文献１には、線状光源と、光源からの光を出射する発光面を有する導光板と、導光板の発光面に配置された光拡散板と、導光板における発光面とは反対側の裏面に配置された光反射板と、を備える面光源装置が開示されている。光源、導光板、光反射板及び光拡散板は、導光板の発光面の周縁に配置された枠状の第１フレーム部材と、導光板の裏面側に配置された第２フレーム部材との間に挟持されている。
【先行技術文献】
【特許文献】
【０００３】
【特許文献１】特開２００４−２１３９９８号公報
【発明の概要】
【発明が解決しようとする課題】
【０００４】
しかし、上述の面光源装置では、第１フレーム部材は導光板の発光面に沿って延びる枠板部を有しており、該枠板部が光拡散板から面光源装置の表側に突出しているので、面状光源装置全体の統一感が損なわれ、見栄えが悪い。
【０００５】
本開示の実施形態は、上記の点に鑑みてなされたものであり、全体の統一感を図ることができるパネルを提供することを目的とする。
【課題を解決するための手段】
【０００６】
本開示の実施形態に係るパネルは、一軸方向に沿って表側から裏側に向かって配置された第１板状部材及び第２板状部材と、前記一軸方向と交差する方向に離れて設けられ、前記第１板状部材を挟持するとともに前記第２板状部材を支持するフレーム部材と、を備え、前記フレーム部材は、前記第１板状部材の側端部に当接する第１当接部と、前記第１当接部に連結されるとともに前記第１板状部材と前記第２板状部材との間に所定の長さまで嵌入された第１嵌入部と、を少なくとも有し、前記表側において、前記第１板状部材と前記フレーム部材とは面一になるようにされていることを特徴としている。
【０００７】
本開示の一実施形態のパネルにおいて、前記表側には、前記第１板状部材及び前記フレーム部材を覆う化粧シートが設けられていることが好ましい。
【０００８】
本開示の一実施形態のパネルにおいて、前記第２板状部材よりも前記裏側に配置された第３板状部材を更に備え、前記フレーム部材は、前記第３板状部材の側端部に当接する第２当接部と、前記第２当接部に連結されるとともに前記第２板状部材と前記第３板状部材との間に所定の長さまで嵌入された第２嵌入部と、を更に有することが好ましい。
【０００９】
また、本開示の一実施形態のパネルにおいて、前記裏側において、前記第３板状部材と前記フレーム部材とは面一になるようにされていることが好ましい。
【００１０】
また、本開示の一実施形態のパネルにおいて、前記一軸方向と交差する方向において、前記第１嵌入部の嵌入長さは前記第２嵌入部の嵌入長さよりも短いことが好ましい。
【００１１】
また、本開示の一実施形態のパネルにおいて、前記フレーム部材は、前記第１当接部から前記第１嵌入部とは反対側に延出された表側壁部と、前記第２当接部から前記第２嵌入部とは反対側に延出された裏側壁部と、前記表側壁部及び前記裏側壁部を連結する主体部と、を更に有し、前記表側において、前記表側壁部と前記第１板状部材とは面一になるようにされていることが好ましい。
【００１２】
更に、本開示の一実施形態のパネルにおいて、複数の点状発光素子とこれらの点状発光素子が実装された配線基板とを有する光源部、を更に備え、前記光源部は、前記主体部、前記表側壁部、前記裏側壁部、前記第１当接部及び前記第２当接部により形成された空間に収容されていることが好ましい。
【００１３】
更に、本開示の一実施形態のパネルにおいて、前記第１板状部材は光拡散板、前記第２板状部材は導光板、前記第３板状部材は光反射板であることが好ましい。
【００１４】
更に、本開示の一実施形態のパネルにおいて、前記第１板状部材は光拡散板、前記第２板状部材は表面に複数の点状発光素子が配置された基板であることが好ましい。
【００１５】
本開示の実施形態に係るフレーム部材は、第１の板部と、前記第１の板部の両端から同じ方向にそれぞれ折れ曲がり、互いに対向して延設する第２の板部と第３の板部と、前記第２の板部及び前記第３の板部のそれぞれの延設端から互いに接近するように折れ曲がる第４の板部と第５の板部と、前記第４の板部及び前記第５の板部の端部から前記第２の板部及び前記第３の板部と同じ方向に折れ曲がるとともに、互いに対向して延設する第６の板部と第７の板部と、を備え、前記第６の板部及び前記第７の板部のうち、一方が他方より長く延設されていることを特徴としている。
【００１６】
更に、本開示の一実施形態のパネルにおいて、一軸方向に沿って表側から裏側に向かって配置された導光板及び光反射板と、前記一軸方向と交差する方向に設けられ、前記導光板と前記光反射板とを支持するフレーム部材とを有し、前記フレーム部材の前記導光板よりも表側に、光拡散板を収容する収容部が設けられていることが好ましい。
【００１７】
更に、本開示の一実施形態のパネルにおいて、前記フレーム部材は、前記導光板と前記光反射板とを上側から支持する上側フレーム部材と、前記導光板と前記光反射板とを下側から支持する下側フレーム部材とを有することが好ましい。
【００１８】
更に、本開示の一実施形態のパネルにおいて、前記上側フレーム部材と前記下側フレーム部材とのうち少なくとも一方は、前記一軸方向と交差する方向に延在し、前記導光板と前記光反射板とを外側から支持することが好ましい。
【００１９】
更に、本開示の一実施形態のパネルにおいて、前記上側フレーム部材と前記下側フレーム部材とは、前記一軸方向と交差する方向に対して線対称であることが好ましい。
【００２０】
更に、本開示の一実施形態のパネルにおいて、前記上側フレーム部材と前記下側フレーム部材とは、前記一軸方向と交差する方向に対して非対称であるが好ましい。
【００２１】
更に、本開示の一実施形態のパネルにおいて、前記下側フレーム部材の前記一軸方向の幅は、前記上側フレーム部材の前記一軸方向の幅よりも狭いが好ましい。
【００２２】
更に、本開示の一実施形態のパネルにおいて、前記光反射板の裏側に、前記フレーム部材により支持される補強部材が設けられていることが好ましい。
【００２３】
更に、本開示の一実施形態のパネルにおいて、前記上側フレーム部材又は前記下側フレーム部材の少なくともいずれか一方が、パネルが固定される壁と当接して固定されていることが好ましい。
【００２４】
更に、本開示の一実施形態のパネルにおいて、前記上側フレーム部材又は前記下側フレーム部材の少なくともいずれか一方が、パネルが固定される壁と離れて固定されていることが好ましい。
【００２５】
更に、本開示の一実施形態のパネルにおいて、前記上側フレーム部材に、前記導光板の端部に配置された光源を収容する光源収容部を有することが好ましい。
【００２６】
本開示の実施形態に係るフレーム部材は、一軸方向に沿って表側から裏側に向かって互いに対面するように配置された第１板状部材及び第２板状部材と、前記第１板状部材の一側端部及び前記第２板状部材の一側端部に対面するように配置された第１フレーム部材と、を備え、前記第１フレーム部材は、前記一軸方向に沿って延びる第１の板部と、前記第１の板部の表側の端部において前記一軸方向と交わる方向に折れ曲がるように構成された第２の板部と、前記第１の板部の裏側の端部において前記一軸方向と交わる方向に折れ曲がるように構成された第３の板部と、前記第２の板部に連結されるとともに裏側に向かって折れ曲がるように構成された第４の板部と、前記第４の板部に連結されるとともに前記第１板状部材と前記第２板状部材との間に所定の長さまで嵌入された第１嵌入部と、を少なくとも有し、前記第２の板部、前記第４の板部、及び前記第１嵌入部により構成される凹状の領域に、前記第１板状部材の少なくとも一部が収容されていることを特徴としている。
【発明の効果】
【００２７】
本開示によれば、全体の統一感を図ることができる。
【図面の簡単な説明】
【００２８】
【図１】第１実施形態のパネルを示す断面図である。
【図２】第１実施形態のパネルを示す斜視図である。
【図３】第１実施形態のパネルの変形例を示す断面図である。
【図４】第１実施形態のパネルの変形例を示す部分断面図である。
【図５】フレームの変形例を示す断面図である。
【図６】フレームの変形例を示す断面図である。
【図７】フレームの変形例を示す断面図である。
【図８】フレームの変形例を示す断面図である。
【図９】第２実施形態のパネルを示す断面図である。
【図１０】第２実施形態のパネルの変形例を示す断面図である。
【図１１】パネルの施工例を示す正面図である。
【図１２】図１１のＸ−Ｘ線に沿う断面図である。
【図１３】第３実施形態のパネルを示す断面図である。
【図１４】第４実施形態のパネルを示す断面図である。
【図１５】第５実施形態のパネルを示す断面図である。
【図１６】第６実施形態のパネルを示す断面図である。
【図１７】第７実施形態のパネルを示す断面図である。
【図１８】第８実施形態のパネルを示す断面図である。
【図１９】第９実施形態のパネルを示す断面図である。
【図２０】第１０実施形態のパネルを示す断面図である。
【発明を実施するための形態】
【００２９】
以下、図面を参照して本開示に係るパネルの実施形態を説明する。以下の説明において、光源部を有する発光パネルの例を挙げるが、本開示は発光パネル以外のパネルにも適用されることに留意されたい。
【００３０】
また、図面の説明において同一の要素には同一符号を付し、重複説明を省略する。更に、図面においては、図示と理解のしやすさの便宜上、実物に対して寸法などを変更したり誇張したりする場合がある。
【００３１】
また、本明細書において用いる、形状や幾何学的条件並びにそれらの程度を特定する、例えば、「直交」等の用語については、厳密な意味に縛られることなく、同様の機能を期待し得る程度の範囲を含めて解釈することとする。例えば、交差していれば良い。更に、本明細書において特に断らない限り、「板」、「フィルム」、「シート」の用語は、呼称の違いのみに基づいており、互いに区別されるものではない。例えば、「板」はシートと呼ばれ得るような部材も含む概念である。したがって、「導光板」とは、「導光シート」と呼称の相違のみにおいて区別されない。
【００３２】
＜第１実施形態＞
図１は第１実施形態のパネルを示す断面図であり、図２は第１実施形態のパネルを示す斜視図である。本実施形態のパネルの一例として、発光する発光パネル１について以下説明する。本実施形態の発光パネル１は、通常のベース照明と異なった空間演出用の照明に用いられるものであり、部屋の天井、壁、床や空間を仕切るパーテンションなどに後付で取り付けられ、ベース照明とともにユーザに優しい光空間を演出する。
【００３３】
発光パネル１は、エッジライト型の面光源装置を有する構造であり、例えばネジ止めで部屋の壁Ｗに取り付けられている。この発光パネル１は、内蔵された光源部２と、一軸方向（本実施形態においては水平方向）に沿って表側（すなわち、部屋内部側）から裏側（すなわち、壁Ｗ側）に向かって光拡散板３、導光板５、光反射板４の順で配置された３枚の板状部材と、一軸方向と直交する方向（すなわち、上下方向）に沿って光拡散板３及び光反射板４を挟持するとともに、導光板５を支持する例えば一対のフレーム部材（上側フレーム部材６（本実施形態では第１フレーム部材に相当）、下側フレーム部材７（本実施形態では第２フレーム部材に相当））とを備えている。
【００３４】
光源部２は、直線状に配置された複数の点状発光素子２１とこれらの点状発光素子２１が実装された配線基板２２とを有し、上側フレーム部材６の内部に収容されている。点状発光素子２１には、例えば発光ダイオード（ＬＥＤ）が用いられる。図１では、光源部２が上側フレーム部材６側に配置された例を示すが、これに限らず、下側フレーム部材７側に配置されていてもよい。このような構成によれば、光源部２から近い側と遠い側において、明るさを漸次変化させることが可能となる。また、光源部２が、上側フレーム部材６側と下側フレーム部材７の両方に配置されていてもよい。このような構成によれば、面内均一性の高い明るさを実現することが可能となる。
【００３５】
本実施形態において、導光板５は、特許請求の範囲に記載の「第２板状部材」に相当するものであり、矩形状の薄板を呈し、互いに対向する一対の主面と、一対の主面の間に画成された４つの側端面とを有する。導光板５は、４つの側端面のうちの一つが点状発光素子２１と対面するように、点状発光素子２１の下方に配置されている。そして、該点状発光素子２１と対面する側端面は、点状発光素子２１から出射された光が入射する入光面５ａとされている。該入光面５ａとは反対側（すなわち、点状発光素子２１から離れる側）の側端面は、入光面５ａと対向する対向面５ｂである。
【００３６】
一方、一対の主面のうち、部屋の内部に面する主面（言い換えれば、表側に面する主面
）は出光面５ｃとされ、該出光面５ｃとは反対側の主面（言い換えれば、裏側に面する主面）は裏面５ｄとされている。出光面５ｃは、入光面５ａと直交しており、点状発光素子２１から入光面５ａを介して入射された光を光拡散板３に向かって出射させる。導光板５は、例えば透光性の高いアクリル樹脂などの樹脂材料によって形成されている。
【００３７】
本実施形態において、光反射板４は、特許請求の範囲に記載の「第３板状部材」に相当するものであり、隣接する導光板５との間に隙間Ｇ１が生じるように、導光板５の裏面５ｄから離れて配置されている。この光反射板４は、白色の拡散反射ができる板状部材、金属などの高い反射率を有する材料からなる板状部材、高い反射率を有する材料からなる薄膜（例えば金属薄膜）を表面層として含んだ板状部材であっても良く、又は誘電体多層膜を板状部材に成膜することで形成されても良く、若しくは金属粒子や白顔料を分散した樹脂を板状部材に塗布することで形成されても良く、若しくはこれらの材料を含むフィルムを板状部材に貼り付けることで形成されても良い。
【００３８】
本実施形態において、光拡散板３は、特許請求の範囲に記載の「第１板状部材」に相当するものであり、隣接する導光板５との間に隙間Ｇ２が生じるように、導光板５の出光面５ｃから離れて配置されている。光拡散板３には、光拡散機能を発揮し得る種々の構成を採用することができ、例えば拡散材を含有する樹脂製の板状部材や、基材となる樹脂製の板状部材に拡散材を含有するバインダをコートした部材や、基材となる樹脂製の板状部材にマイクロレンズアレイが形成されたマイクロレンズアレイシートなどを用いることができる。
【００３９】
上側フレーム部材６と下側フレーム部材７とは、アルミニウムなどの金属材料によって形成されており、上下方向に沿って所定の距離で離れて配置されている。上側フレーム部材６と下側フレーム部材７の材料は、金属材料に限らず、樹脂材料等であってもよい。上側フレーム部材６と下側フレーム部材７とは、発光パネル１の中心位置に対して上下対称になっており、構造が同じであるので、以下では上側フレーム部材６のみを説明する。
【００４０】
図１に示すように、上側フレーム部材６は、断面が上側矩形状と下側筒形状により組み合わせられた形になるように形成されている。具体的には、この上側フレーム部材６は、水平方向に延設される主体部（第１の板部）６ａと、主体部６ａの表側の端部及び裏側の端部から同じ方向（ここでは、下方）にそれぞれ折れ曲がって、互いに対向して延設する表側壁部（第２の板部）６ｂ及び裏側壁部（第３の板部）６ｃと、表側壁部６ｂの延設端から裏側に垂直に折れ曲がって、光拡散板３の側端部と当接する第１当接部（第４の板部）６ｄと、裏側壁部６ｃの延設端から表側に垂直に折れ曲がって、光反射板４の側端部と当接する第２当接部（第５の板部）６ｅとを有する。なお、図１において、光拡散板３の側端部と、第４の板部６ｄ及び第５の板部６ｅとが当接している例を示すが、これに限らず、光拡散板３の側端部と第４の板部６ｄ及び第５の板部６ｅとの間に所定の間隙が存在していてもよい。
【００４１】
第１当接部６ｄと第２当接部６ｅとは、互いに接近するようにされているが、突き当らずに所定の距離で離れている。そして、主体部６ａ、表側壁部６ｂ、裏側壁部６ｃ、第１当接部６ｄ及び第２当接部６ｅによって、上側フレーム部材６の内部には、下方に開口する空間Ｓが形成されている。該空間Ｓには、上述の光源部２が収容されている。
【００４２】
更に、上側フレーム部材６は、第１当接部６ｄに連結されるとともに下方に折れ曲がって、光拡散板３と導光板５との間の隙間Ｇ２に嵌入された第１嵌入部（第６の板部）６ｆと、第２当接部６ｅに連結されるとともに下方に折れ曲がって、光反射板４と導光板５との間の隙間Ｇ１に嵌入された第２嵌入部（第７の板部）６ｇと、を有する。第１嵌入部６ｆと第２嵌入部６ｇとは、互いに対向しており、所定の長さまで延びている。図１に示す
ように、上下方向において、第１嵌入部６ｆの嵌入長さは第２嵌入部６ｇの嵌入長さよりも短い。例えば、発光パネル１を天井側に配置する場合、上側フレーム部材６の第１嵌入部６ｆを設けることにより、部屋側に到達する光源部２からの直達光を制限することができ、グレアを低減できる。さらに第１嵌入部６ｆの嵌入長さを短くすることにより、パネルの発光する面積を大きく採ることができる。また、例えば、発光パネル１を床側に配置する場合、下側フレーム部材７の第１嵌入部６ｆを設けることにより、部屋側に到達する光源部２からの直達光を制限することができ、グレアを低減できる。したがって、発光パネル１の配置に応じて、上側フレーム部材６及び下側フレーム部材７の両方において第１嵌入部６ｆの嵌入長さは第２嵌入部６ｇの嵌入長さよりも短い関係を満たしてもよいし、上側フレーム部材６及び下側フレーム部材７の一方において第１嵌入部６ｆの嵌入長さは第２嵌入部６ｇの嵌入長さよりも短い関係を満たしてもよい。
【００４３】
そして、光拡散板３は、その上側端部が上側フレーム部材６の第１当接部６ｄ、その下側端部が下側フレーム部材７の第１当接部６ｄにそれぞれ当接された状態で、複数のイモネジ９を介して上側フレーム部材６及び下側フレーム部材７の第１嵌入部６ｆにそれぞれ固定されている。発光パネル１の表側において、光拡散板３と上側フレーム部材６、下側フレーム部材７とは面一になるように配置されている。より具体的には、光拡散板３の表側に面する主面は、上側フレーム部材６及び下側フレーム部材７の表側に面する表面（すなわち、表側壁部６ｂの外表面）と同一平面に位置している。なお、この場合、同一平面に位置するとは完全に面同士が同じレベルであることに限らず、後述する化粧シート８の設置に支障がない程度の段差があることを許容する。例えば、光拡散板３の表側に面する主面と、上側フレーム部材６及び下側フレーム部材７の表側に面する表面との段差が、１ｍｍ以内であってもよく、好ましくは０．５ｍｍ以内であってもよい。
【００４４】
一方、光反射板４は、その上側端部が上側フレーム部材６の第２当接部６ｅ、その下側端部が下側フレーム部材７の第２当接部６ｅにそれぞれ当接された状態で、複数のイモネジ９を介して上側フレーム部材６及び下側フレーム部材７の第２嵌入部６ｇにそれぞれ固定されている。本実施形態では、光反射板４は、離れて配置された上側フレーム部材６と下側フレーム部材７を連結しつつ、これらのフレーム部材を補強する役割も果たしている。
【００４５】
発光パネル１の裏側において、光反射板４と上側フレーム部材６、下側フレーム部材７とは面一になるように配置されている。より具体的には、光反射板４の裏側に面する主面は、上側フレーム部材６及び下側フレーム部材７の裏側に面する表面（すなわち、裏側壁部６ｃの外表面）と同一平面に位置している。なお、この場合、同一平面に位置するとは完全に面同士が同じレベルであることに限らず、発光パネル１を壁に設置する際に支障がない程度の段差があることを許容する。例えば、光反射板４の表側に面する主面と、上側フレーム部材６及び下側フレーム部材７の表側に面する表面との段差が、３ｍｍ以内であってもよく、好ましくは１ｍｍ以内であってもよく、さらに好ましくは０．５ｍｍ以内であってもよい。
【００４６】
光拡散板３及び光反射板４の間に位置する導光板５は、上側フレーム部材６及び下側フレーム部材７の第１嵌入部６ｆ、第２嵌入部６ｇに挟まれた状態で、第１嵌入部６ｆを貫通したイモネジ９と第２嵌入部６ｇを貫通したイモネジ９によって固定されている。
【００４７】
一方、上記空間Ｓに収容された光源部２は、その配線基板２２が上側フレーム部材６の第１嵌入部６ｆと第２嵌入部６ｇとを架け渡すように、第１当接部６ｄ及び第２当接部６ｅに支持されている。そして、点状発光素子２１は、第１嵌入部６ｆと第２嵌入部６ｇとの間に配置され、その直下位置にある導光板５に光を照射する。図１において、光源部２と導光板５の側端面が対面している例が示されているが、これに限らず、光源部２と導光
板５との間にレンズやプリズムなどの光を偏向する光学素子を配置することにより、光源部２と導光板５とが対面しないように構成してもよい。
【００４８】
また、発光パネル１の表側には、光拡散板３及び上側フレーム部材６、下側フレーム部材７を覆う化粧シート８が設けられている。図１に示すように、化粧シート８は、上側フレーム部材６の表側壁部６ｂの外表面から光拡散板３の表側に面する主面に亘り、更に下側フレーム部材７の表側壁部６ｂの外表面まで全面に貼り付けられている。
【００４９】
化粧シート８は、意匠効果を果たすものであり、光透過性を有しても良く、光透過性を有しなくても良い。そして、周囲との統一感を得られるために、化粧シート８は壁Ｗの壁紙と同じ意匠性を有するのが好ましい。ここで、同じ意匠性を有することは、同じ模様や色であれば材質が異なっても良いことを意味している。なお、化粧シート８には、紙系の化粧シートや樹脂系の化粧シート（例えば大理石調シート、木目調化粧シート、鏡面調化粧シート）などを用いることができる。
【００５０】
以上のように構成された発光パネル１によれば、表側において、光拡散板３と上側フレーム部材６、下側フレーム部材７とは面一になるように配置されているので、従来のようにフレーム部材の突出に起因する突出感がなく、仮に化粧シート８がなくても発光パネル１全体の統一感を図ることができる。また、光拡散板３の固定に用いられたイモネジ９は、ネジ全体を光拡散板３の内部に螺入することが可能であるので、螺入箇所が目立つこともなく、光拡散板３の外観への影響が少ない。
【００５１】
また、導光板５は、表側で第１嵌入部６ｆを貫通したイモネジ９と、裏側で第２嵌入部６ｇを貫通したイモネジ９により固定されているので、導光板５の位置決めを容易に行える。更に、発光パネル１の表側には、光拡散板３及び上側フレーム部材６、下側フレーム部材７を覆う化粧シート８が設けられているので、全体の統一感を一層高めることができる。
【００５２】
また、上下方向において、上側フレーム部材６及び下側フレーム部材７の第１嵌入部６ｆの嵌入長さは第２嵌入部６ｇの嵌入長さよりも短いので、上側フレーム部材６と下側フレーム部材７とを補強する効果を維持しつつ、導光板５の出光面５ｃの面積をなるべく大きく確保できる。
【００５３】
なお、第１嵌入部６ｆの嵌入長さについては、以下のことを考慮しつつ設定されるのが好ましい。すなわち、第１嵌入部６ｆの嵌入長さが大きすぎると、出光面５ｃの面積が小さくなる。一方、嵌入長さが小さすぎると、点状発光素子２１が直視可能になり、イモネジ９で固定する場所も確保し難くなる。従って、点状発光素子２１が直視できない程度且つ出光面５ｃの面積を大きく確保できることを考慮し、第１嵌入部６ｆの嵌入長さを設定するのが好適である。
【００５４】
また、上述したように、光反射板４は、上側フレーム部材６と下側フレーム部材７とを補強する役割も果たすので、その厚さが光拡散板３以上であるのが好ましい。言い換えれば、上側フレーム部材６及び下側フレーム部材７における光反射板４の上側端部と当接する第２当接部６ｅは、その水平方向での長さが光拡散板３の上側端部と当接する第１当接部６ｄと同じか、又はそれより大きい。
【００５５】
本実施形態に係る発光パネル１については、様々な変形例も考えられる。
例えば、図３に示すように、化粧シート８は、上側フレーム部材６の天井面と下側フレーム部材７の底面とを覆うように、裏側に折り曲げられて延設されても良い。すなわち、化粧シート８は、表側壁部６ｂの外表面と光拡散板３の表側に面する主面とを覆う第１部
分８ａと、上側フレーム部材６の主体部６ａを覆う第２部分８ｂと、下側フレーム部材７の主体部６ａを覆う第３部分８ｃとを有するように構成される。このようにすれば、仮に上側フレーム部材６及び下側フレーム部材７の主体部６ａが目立つものであっても、化粧シート８の第２部分８ｂ及び第３部分８ｃで隠れるので、周囲との統一感を図ることができる。
【００５６】
また、図４に示すように、光源部２は、接着剤等で上側フレーム部材６の主体部６ａの下表面に取り付けられても良い。
【００５７】
また、上側フレーム部材及び下側フレーム部材の構造については、上述した内容のほか、様々な変形例も考えられる。例えば図５（ａ）に示す上側フレーム部材６Ａでは、第１嵌入部６ｆの嵌入長さは、第２嵌入部６ｇの嵌入長さと同じである。
【００５８】
また、図５（ｂ）に示す上側フレーム部材６Ｂでは、第１嵌入部６ｆ及び第２嵌入部６ｇはそれぞれ上下方向に延びており、第２当接部６ｅは、第２嵌入部６ｇとのなす角度αが鈍角になるように、該第２嵌入部６ｇに対して斜めに形成されている。同様に、第１当接部６ｄも、第１嵌入部６ｆとのなす角度が鈍角になるように該第１嵌入部６ｆに対して斜めに形成されている。
【００５９】
一方、図５（ｃ）に示す上側フレーム部材６Ｃでは、第１嵌入部６ｆ及び第２嵌入部６ｇはそれぞれ上下方向に延びており、第２当接部６ｅは、第２嵌入部６ｇとのなす角度αが鋭角になるように、該第２嵌入部６ｇに対して斜めに形成されている。同様に、第１当接部６ｄも、第１嵌入部６ｆとのなす角度が鋭角になるように該第１嵌入部６ｆに対して斜めに形成されている。
【００６０】
また、図６（ａ）に示す上側フレーム部材６Ｄでは、表側壁部６ｂ及び裏側壁部６ｃは設けられておらず、第１当接部６ｄ及び第２当接部６ｅは、主体部６ａと直接連結するように厚く形成されている。このような場合には、光源部２を接着剤等で主体部６ａの下表面に取り付ければ良い。
【００６１】
また、図６（ｂ）に示す上側フレーム部材６Ｅでは、第１嵌入部６ｆと第２嵌入部６ｇとの間に、第１当接部６ｄから裏側に突出する第１出張り部６ｈと、第２当接部６ｅから表側突出する第２出張り部６ｉとがそれぞれ設けられている。第１出張り部６ｈと第２出張り部６ｉとの間の距離は、点状発光素子２１の幅よりも大きい。このようにすれば、光源部２の配線基板２２を支持する面積が大きくなるとともに、点状発光素子２１を第１出張り部６ｈ及び第２出張り部６ｉの間に配置させることで、点状発光素子２１の位置決めを容易に行うことができる。
【００６２】
また、図７（ａ）に示す上側フレーム部材６Ｆでは、表側壁部６ｂに開口部６ｊが設けられている。開口部６ｊの寸法は、光源部２をスムーズに挿入したり、取り出したりできるサイズに設定されている。このようにすれば、開口部６ｊを介して光源部２の挿入作業及び取り出し作業を容易に行える。
【００６３】
また、図７（ｂ）に示す上側フレーム部材６Ｇでは、表側壁部６ｂに設けられた開口部６ｊに加えて、裏側壁部６ｃにも開口部６ｋが設けられている。このようにすれば、光源部２の配線ケーブルなどを外部に容易に取り出すことができる。
【００６４】
また、図８（ａ）に示す上側フレーム部材６Ｈでは、第１嵌入部６ｆに裏側に突出する第１突出部６ｍが設けられている。それと対応して、第２嵌入部６ｇには表側に突出する第２突出部６ｎが設けられている。このような場合には、第１突出部６ｍが導光板５の出
光面５ｃ側に形成された溝部５ｅ、第２突出部６ｎが裏面５ｄ側に形成された溝部５ｆにそれぞれ係合することで、イモネジ９を用いずに導光板５を簡単に固定することができる。
【００６５】
また、図８（ｂ）に示す上側フレーム部材６Ｊでは、主体部６ａに開口部６ｐが設けられている。開口部６ｐは大きいものを１つ形成しても良く、小さいものを複数形成しても良い。このようにすれば、光源部２の発熱を逃がす効果を奏する。
【００６６】
＜第２実施形態＞
図９は第２実施形態のパネルを示す断面図である。本実施形態の発光パネル１Ａは、直下型の面光源装置を有する構造において、第１実施形態と異なっている。その他の構成は第１実施形態と同様であるので、重複説明を省略する。
【００６７】
具体的には、光拡散板３より裏側には、表面に複数の点状発光素子１０が配置された基板１１が配置されている。基板１１は、特許請求の範囲に記載の「第２板状部材」に相当するものである。図示しないが、この基板１１は、例えば点状発光素子１０が実装された配線基板と硬い樹脂からなる絶縁基板とを積層してなる板であっても良く、或いは点状発光素子１０が実装された配線基板とアルミニウム板とを間に絶縁層を介在させて積層してなる板であっても良い。基板１１は、接着やネジ止めなどで上側フレーム部材６及び下側フレーム部材７の第２嵌入部６ｇとそれぞれ固定されている。複数の点状発光素子１０は、基板１１の主面の全面にわたって規則正しく配置されており、光拡散板３に向かって光を直接照射する。
【００６８】
本実施形態の発光パネル１Ａによれば、第１実施形態と同様な作用効果を得られる。また、本実施形態において、上述の第１実施形態と同様に光反射板４を更に設けても良い（図１０参照）。このようにすれば、点状発光素子１０から入射された光を反射するとともに、上側フレーム部材６と下側フレーム部材７とを補強する効果を一層高めることができる。
【００６９】
以下、図１１及び図１２を参照して本開示の発光パネルの施工例を説明する。
上述したように、発光パネル１を部屋の壁Ｗ、天井Ｃ、床Ｆに取り付けることが可能であるが、本施工例では、壁Ｗに取り付けられる例を説明する。より具体的には、発光パネル１は天井Ｃ付近の壁Ｗに固定されており、その下方には非発光パネル１２が壁Ｗに取り付けられている。
【００７０】
非発光パネル１２は、薄板状のボード１３と、該ボード１３に貼り付けられた化粧シート１４とを有する。ボード１３は、発光パネル１との間に隙間が生じるように発光パネル１の下方に配置され、床Ｆから離れた位置（すなわち、床Ｆより高い位置）まで延設されている。なお、ボード１３には、樹脂製板、木製板、コンクリート、モルタル等のセメント系材料からなる板、石膏ボード、珪酸カルシウム等からなる無機非金属板、アルミニウム等からなる金属板を用いることができる。また、ボード１３は耐燃性や耐火性を有することが好ましい。
【００７１】
化粧シート１４は、ボード１３の表側に面する主面に貼り付けられている。この化粧シート１４は、発光パネル１の化粧シート８と材質、色彩及び模様が同じであっても良く、異なっても良いが、全体の統一感を図るために、同じであるのが好ましい。また、上下方向において、発光パネル１の化粧シート８と非発光パネル１２の化粧シート１４とは面一であることが好ましい。
【００７２】
以下に、第３から第１０までの実施形態について説明する。尚、第１から第１０までの
実施形態で示した特徴については、可能である場合にはそれぞれを任意に組み合わせて用いることができる。
【００７３】
＜第３実施形態＞
図１３は第３実施形態のパネルを示す断面図である。図１３に示すように、上側フレーム部材６の第１嵌入部６ｆと第２嵌入部６ｇとの間に、少なくとも導光板５と光反射板４とが配置されている。下側フレーム部材７についても同様の配置であっても良い。さらに、図１の光反射板の代わりに、壁Ｗ側には、補強部材１９が配置されていても良い。第３の実施形態では、導光板５と光反射板４との対向面が当接し一体となった積層体であっても良い。
【００７４】
尚、図１３では、導光板５と光反射板４とは、上側フレーム部材６又は下側フレーム部材７の少なくともいずれか一方においてネジ９により嵌入部とは離れて固定されている例を示しているが、上側フレーム部材６又は下側フレーム部材７の少なくともいずれか一方は対向する嵌入部により挟まれて固定されていても良い。
【００７５】
＜第４実施形態＞
図１４は第４実施形態のパネルを示す断面図である。図１４に示すように、上側フレーム部材６の裏側は上方から鉛直に延びている。例えば、上側フレーム部材６の裏側には図１３のような第２嵌入部６ｇが設けられておらず、裏側壁部６ｃのみが下方に延びている。裏側壁部６ｃと第１嵌入部６ｆとの間に、導光板５と光反射板４とが配置されている。下側フレーム部材７についても同様の構成であっても良い。
【００７６】
図１４に示す構成では、上側フレーム部材６と下側フレーム部材７とのそれぞれの第１当接部６ｄ及び第１嵌入部６ｆとにより画定される空間に光拡散板３を収容する収容部が形成されている。
【００７７】
本実施形態では、パネル１の裏側壁部６ｃを壁部Ｗに広い面積で固定することができる。
【００７８】
＜第５実施形態＞
図１５は第５実施形態のパネルを示す断面図である。図１５に示すように、上側フレーム部材６は、図１３と同様の構成である。すなわち、第２嵌入部６ｇが第１嵌入部６ｆよりも長い。この構成により、直接光によるグレア低減と、発光面の面積を大きく取ることとを両立させることができる。
【００７９】
一方、下側フレーム部材７に関しては、第１嵌入部６ｆと第２嵌入部６ｇが同じ長さであってもよいし、図１５に示すように第２嵌入部６ｇよりも第１嵌入部６ｆの方が長くても良い。なお、上側フレーム部材６の第１嵌入部６ｆ及び第２嵌入部６ｇの長さよりも、下側フレーム部材７の第１嵌入部６ｆ及び第２嵌入部６ｇの長さが大きくてもよい。このような構成によれば、下側フレーム部材７により安定して第１〜３板状体を支持することができ、上側フレーム部材６の嵌入の長さを小さくできる。したがって、明るい発光する上部の領域を大きくすることができる。
【００８０】
＜第６実施形態＞
図１６は第６実施形態のパネルを示す断面図である。図１６に示すように、上側フレーム部材６又は下側フレーム部材７の少なくともいずれか一方が壁Ｗと当接しておらず、例えば、固定部材６ｑなどにより壁Ｗの壁面から離れて固定されていても良い。
【００８１】
＜第７実施形態＞
図１７は第７実施形態のパネルを示す断面図である。図１７に示すように、化粧シート８が、上側フレーム部材６の上面部を覆っていなくてもよい。図１７は、典型的には、発光パネル１が天井側に配置されることを想定している。この場合、下側フレーム部材７の下端が使用者の視界に入り、一方、上側フレーム部材６の上端は使用者の視界に入りにくい。光源側の上側フレーム部材６の上面部は化粧シート８により覆われていないが、非光源側の下側フレーム部材７の底面部は化粧シート８により覆われていても良い。
【００８２】
＜第８実施形態＞
図１８は第８実施形態のパネルを示す断面図である。図１８に示すように、上側フレーム部材６と下側フレーム部材７とが上下で非対称になっていても良い。上側フレーム部材６は、点状発光素子２１を設けた配線基板２２を収容し固定する必要があるため、図１と同様の構成を有しているが、下側フレーム部材７は光源部等を収容する必要がないため、少なくとも底板を有していれば良い。必要に応じて、任意に、仕切り部や光反射板支持部などを設ければ良い。
【００８３】
さらに、図１８においては、上側フレーム部材６と下側フレーム部材７とが上下で非対称にする一例として、下側フレーム部材７の厚さを上側フレーム部材６の厚さよりも小さくして、点状発光素子２１を設けた配線基板２２を収容するスペースを確保しつつ、例えば光拡散板３の厚さを薄くすることにより、発光パネル１の発光部分の厚さを薄くすることができる。尚、図１８では、光拡散板３の厚さを図１よりも薄くする例を示したが、導光板５，光反射板４の厚さを薄くしてパネルの厚さを薄くするようにしても良い。
【００８４】
＜第９実施形態＞
図１９は、第９実施形態のパネルを示す断面図である。第１フレーム部材を有する一方、第２フレーム部材を有していなくてもよく、図１９に示すように、例えば下側フレーム部材を設けなくても良い。その場合に、例えば、パネル１の下方に、光拡散板３，導光板５，光反射板４などを壁Ｗにイモネジ９をネジ止めして固定するビスなど固定部材６ｒを設けても良い。或いは、ビスなどの固定部材６ｒに代えて、拡散板３と導光板５、導光板５と反射板４との間を粘着力で固定する粘着部材を用いても良い。
【００８５】
＜第１０実施形態＞
図２０は、第１０実施形態のパネルを示す断面図である。図２０に示すように、第１板状部材である光拡散板３と少なくとも上側フレーム部材６の表側（発光面側）とは面一になっていなくても良い。図２０に示す例では、光拡散板３と化粧シート８との間に、スペーサ部材２３が設けられている。スペーサ部材２３の表側の位置が上側フレーム部材６の表側の位置と略面一になっていても良い。スペーサ部材２３は、透光性を有することが好ましい。このような構成によれば、発光面からの光量がスペーサ部材２３により減少するのを抑制することができる。スペーサ部材２３が、透光性が乏しく、例えば、不透光性である場合は、発光を邪魔しない位置、例えば、発光面の周辺部などに複数設けることができる。
【００８６】
以上、本開示の実施形態について詳述したが、本発明は、上記の実施形態に限定されるものではなく、特許請求の範囲に記載された本発明の精神を逸脱しない範囲で、種々の設計変更を行うことができるものである。例えば、本発明は上述の各実施形態及び各変形例の組み合わせにも適用される。また、上側フレーム部材及び下側フレーム部材は、写真立て、窓や戸などのフレームとして用いることも可能である。
【符号の説明】
【００８７】
１，１Ａ    発光パネル
２    光源部
３    光拡散板
４    光反射板
５    導光板
５ａ    入光面
５ｂ    対向面
５ｃ    出光面
５ｄ    裏面
６，６Ａ，６Ｂ，６Ｃ，６Ｄ，６Ｅ，６Ｆ，６Ｇ，６Ｈ，６Ｊ    上側フレーム部材
６ａ    主体部
６ｂ    表側壁部
６ｃ    裏側壁部
６ｄ    第１当接部
６ｅ    第２当接部
６ｆ    第１嵌入部
６ｇ    第２嵌入部
７，７Ａ，７Ｂ，７Ｃ，７Ｄ，７Ｅ，７Ｆ，７Ｇ，７Ｈ，７Ｊ    下側フレーム部材
８，１４    化粧シート
９    イモネジ
１０，２１    点状発光素子
１１    基板
１２    非発光パネル
１３    ボード
２２    配線基板
Ｇ１，Ｇ２    隙間
Ｓ    空間
Ｗ    壁
【図１】
2019029328.tif 000003
【図２】
2019029328.tif 000004
【図３】
2019029328.tif 000005
【図４】
2019029328.tif 000006
【図５】
2019029328.tif 000007
【図６】
2019029328.tif 000008
【図７】
2019029328.tif 000009
【図８】
2019029328.tif 000010
【図９】
2019029328.tif 000011
【図１０】
2019029328.tif 000012
【図１１】
2019029328.tif 000013
【図１２】
2019029328.tif 000014
【図１３】
2019029328.tif 000015
【図１４】
2019029328.tif 000016
【図１５】
2019029328.tif 000017
【図１６】
2019029328.tif 000018
【図１７】
2019029328.tif 000019
【図１８】
2019029328.tif 000020
【図１９】
2019029328.tif 000021
【図２０】
2019029328.tif 000022